【事件の表示】
　特願２００５−２６５１５９「画像形成装置」拒絶査定不服審判事件〔平成１８年　２月　２日出願公開、特開２００６−　３１０４４〕について、次のとおり審決する。
【結　論】
　本件審判の請求は、成り立たない。
【理　由】
１．手続の経緯・本願発明
　本願は、平成１３年５月９日（優先権主張　平成１２年７月１４日）にした特願２００１−１３８５２６号の一部を平成１７年９月１３日に新たな出願としたものであって、平成１８年３月２３日付けで拒絶査定がなされ、これに対して、同年４月２７日付けで拒絶査定に対する審判請求がなされるとともに、同年５月２５日付けで手続補正がされたものであって、当審において、平成２０年２月２７日付けで上記の手続補正が却下されるとともに、同日付けで拒絶の理由が通知され、これに対して、同年５月７日付けで手続補正書及び意見書が提出されたものである。
　
　そして、本願の請求項１〜１２に係る発明は、平成２０年５月７日付けの手続補正書により補正された特許請求の範囲の請求項１〜１２に記載された事項により特定されるとおりのものと認められるところ、その請求項１に記載された発明（以下、「本願発明１」という。）は次のとおりである。
　
　「【請求項１】
　転写ベルトと、
　該転写ベルトの走行辺に沿って配置される複数の像担持体と、
　レーザ光を照射するレーザ光照射手段と、
　照射されたレーザ光を反射するポリゴンミラーと、
　ポリゴンミラーを挟むように設けられ前記レーザ光の反射光を各像担持体上に導く複数のレーザ光反射手段を含む単一の書き込みユニットとを備え、
　前記複数の像担持体が配置される前記転写ベルトの走行辺を装置内で傾斜して配置し、
　前記単一の書き込みユニットは、前記ポリゴンミラーの軸線を前記走行辺の延在方向における複数の像担持体間の中心垂線からずらすとともに、前記走行辺の傾斜方向と略平行に装置高さが低くなる方向へずらした位置に配置したことを特徴とする画像形成装置。」
　
　
２．引用例
　これに対し、当審における、平成２０年２月２７日付けで通知した拒絶の理由で引用した、本願の優先日前に頒布された刊行物１〜３は、以下のとおりである。 
　
（２−１）刊行物１ 
 特開平１１−９５５２０号公報（以下、「刊行物１」という。）には、図面とともに以下の事項が記載されている。 なお、下線は当審で付した。
　
　（ａ）「【０００９】【発明が解決しようとする課題】しかしこの方式であれば、高速化ははかれるものの装置内のプロセスの記録部（感光体）ドラムの上部に配置されるレーザービームスキャナユニット自身が縦方向に長く配置されているため、装置の横方向（用紙搬送方向）の幅が小さくなるが、装置の縦方向（垂直方向）の高さが高くなり、装置が大型になってしまう。
　【００１０】そこで本発明においては、複数のレーザ走査手段の一部を重ねた状態で配置することにより、装置を小型化したカラー画像形成装置を提供することを目的としている。」 
　
　（ｂ）図１は、以下のとおりである。
　（ｃ）「【００１６】【実施の形態】図１は、この発明の実施形態に係る画像形成装置であるデジタルカラー複写機１の構成を示す正面断面図である。複写機本体１の上面には、原稿台１１１及び操作パネルが設けられていると共に、原稿台１１１の上面には該原稿台１１１に対して開閉可能な状態で支持された原稿押圧カバー（図示せず）が装着されている。さらに、この複写機本体１の内部には画像読み取り部１１０及び画像形成部２１０が構成されている。 
　・・・（中略）・・・ 
　【００２０】次に複写機１の下部側に位置する画像形成部２１０について説明する。図１に示す画像形成部２１０内の右側には、給紙機構２１１が設けられており、用紙トレイ内に積載収容されている用紙Ｐを１枚ずつ分離して記録部側に向かって供給する。・・・（中略）・・・ 
　【００２１】この画像形成部２１０の下方には、略平行にのびた転写搬送ベルト機構２１３が配置されており、駆動ローラ２１４と従動ローラ２１５などの複数のローラ間に張架された転写搬送ベルト２１６に用紙Ｐを静電吸着させて搬送する構成となっている。 
　【００２２】さらに転写搬送ベルト機構２１３の下流側には用紙Ｐ上に転写形成されたトナー像を用紙Ｐ上に定着させるための定着装置２１７が配置されており、この定着装置２１７の定着ローラニツプ間を通過した用紙は搬送方向切り換えゲート２１８を経て排出ローラ２１９により装置外壁に取り付けられている排紙トレイ２２０上に排出される。 
　・・・（中略）・・・ 
　【００２４】また、駆動ローラ２１４と従動ローラ２１５などにより略平行に張架された転写搬送ベルト２１６の上側には、該転写搬送ベルト２１６に近接して搬送経路上流側から順に第１、第２、第３、第４の画像形成ステーションＰａ、Ｐｂ、Ｐｃ、およびＰｄが並設されている。 
　【００２５】そして、転写搬送ベルト２１６は駆動ローラ２１４によって、図１において矢印Ｚで示す方向に摩擦駆動され、前にも述べたように上記給紙機構２１１を通じて給送される用紙Ｐを担持し、上述した画像形成ステーションＰａ、Ｐｂ、Ｐｃ、およびＰｄへと順次搬送する。 
　【００２６】各画像ステーションＰａ、Ｐｂ、Ｐｃ、およびＰｄは実質的に同一の構成を有し、図１に示す矢印Ｆ方向に回転駆動される感光体ドラム２２２ａ、２２２ｂ、２２２ｃ、および２２２ｄを含み、各感光体ドラム２２２の周辺には、感光体ドラム２２２を一様に帯電する帯電器２２３ａ、２２３ｂ、２２３ｃ、および２２３ｄと、各感光体ドラム２２２上に形成された静電潜像を現像する現像装置２２４ａ、２２４ｂ、２２４ｃ、および２２４ｄと、現像されたトナー像を用紙Ｐへ転写する転写用放電器２２５ａ、２２５ｂ、２２５ｃ、および２２５ｄと、感光体ドラム２２２上に残留するトナーを除去するクリーニング手段２２６ａ、２２６ｂ、２２６ｃ、および２２６ｄが感光体ドラム２２２の回転方向に沿って順次配置されている。 
　【００２７】また、各感光体ドラム２２２ａ、２２２ｂ、２２２ｃ、および２２２ｄの上方には、
画像データに応じて変調されたドット光を発する半導体レーザ素子
半導体レーザ素子からの光を主走査方向に偏向させるための偏向装置
などから構成されるレーザービームスキャナユニツト２２７ａ、２２７ｂ、２２７ｃ、および２２７ｄ
　
　（ｄ）「【００６１】（本発明の実施形態詳細）図５は本発明の実施形態１のレーザビームスキャナユニット２２７の断面図であり、図５に示すように、レーザビームスキャナユニット２２７には、
偏向器であるポリゴンミラー６１
ポリゴンミラー６１は略水平方向にレーザ光源（図示せず）から発光されたレーザ光を偏向する
　【００６２】このポリゴンミラー６１により当該ポリゴンミラー６１から遠ざかる水平方向に偏向され集光レンズ６４，６５を通ったレーザ光をまず垂直方向へ折り返す第１折り返しミラー６６を配置し、該第１折り返しミラー６６により折り返されたレーザ光を上記ポリゴンミラー６１側へ折り返す第２折り返しミラー６７を配置し、該第２折り返しミラー６７により折り返されたレーザ光を感光体ドラム２２２に出射する第３折り返しミラー６８を配置しており、上記
ポリゴンミラー６１により偏向されたレーザ光が第１，第２，第３折り返しミラー６６，６７，６８により折り返され感光体ドラム２２２を画像入力信号に基づいて走査
　・・・（中略）・・・
　【００６７】そして、各色成分用のレーザビームスキャナユニット２２７ａ〜２２７ｄは、図１及び図７に示すように、まず、転写搬送ベルト２１６の上流側（用紙Ｐの給紙側）となる位置にレーザビームスキャナユニット２２７ａを配置し、このレーザビームスキャナユニット２２７ａの高さの低い部分上に搬送方向に対して下流側のレーザビームスキャナユニット２２７ｂがその一部を重ね合わせて配置され、このレーザビームスキャナユニット２２７ｂの高さの低い部分上に搬送方向に対して下流側のレーザビームスキャナユニット２２７ｃがその一部を重ね合わせて配置される。このように各レーザビームスキャナユニット２２７ａ〜２２７ｄが順次配置される。 
　【００６８】上記レーザビームスキャナユニット２２７ａ〜ｄから各感光体ドラム２２２ａ〜２２２ｄへのレーザ走査光路長さ（レーザビームスキャナユニット２２７内のレーザ光源である半導体レーザ素子と感光体ドラム２２２間）を同一にするために、各感光体ドラム２２２ａ〜２２２ｄを順次斜め上方へ配置している。」 
　
　（ｅ）「【００７３】上記の構成のように、転写搬送ベルト２１６の下流側が上流側よりも上方に位置して配置されているので、転写搬送ベルト２１６の下流側に配置される転写装置２１７の位置も複写機内の上部となるので、転写装置２１７で発生する熱が他の構成部品側へ回り難くなり、転写装置２１７が発生する熱による影響を極力抑えることができる。」 
　
　（ｆ）また、【特許請求の範囲】には次の記載もある。 
　「【請求項１】 カラー画像信号を入力するための画像信号入力手段と、 
　該画像信号入力信号により入力された各色の画像信号に応じて夫々が変調されたレーザ光を走査する複数のレーザ走査手段と、
　上記レーザ走査手段により走査されることにより各色の画像信号に応じた色画像が記録される画像記録手段を複数並列配置するとともに、この並列配置した複数の各記録部において形成される色画像を順次転写材上に転写することでカラー画像を再現する画像形成装置において、 
　上記複
数のレーザ走査手段は、転写材の搬送方向上流側のレーザ走査手段の一部に搬送方向下流側のレーザ走査手段の一部を順次重ねた状態で配置され
　上記各レーザ走査手段により各色の画像が走査される上記画像記録手段の画像記録部が、夫々対応するレーザ走査手段からのレーザ走査光路長が一定となるよう配置し、 
　該画像記録部の下方に転写材の搬送方向上流側を下方位置に、搬送方向下流側を上方位置に、夫々位置させて転写材を搬送する搬送手段を配置し、 
 該搬送手段の転写材の搬送方向下流側に転写材へ画像を定着する定着手段を配置したことを特徴とする
画像形成装置
　
　（ｇ）図１から、
複数の感光体ドラム２２２ａ〜ｄが、転写搬送ベルト２１６の走行辺に沿って直線状に配置されている
　また、図１及び上記（ｅ）（ｆ）から、
転写搬送ベルト２１６の走行辺を画像形成装置内で傾斜させ、転写搬送ベルト２１６の下流側が上流側よりも上方に位置して配置している
　さらに、図１及び上記（ｄ）（ｆ）から、各感光体ドラム２２２ａ〜ｄの上方に設けられた複数のレーザビームスキャナユニット２２７ａ〜ｄは、相互に一部重なりながらも、
全体としては、転写搬送ベルト２１６の走行辺の傾斜方向と略平行に並んでいる
　
　（ｈ）また、図１，図７〜図１０をみると、 レーザビームスキャナユニット２２７ａ〜ｄから各感光体ドラム２２２ａ〜ｄに向かうレーザ光は、転写搬送ベルト２１６の走行辺の方向に対して、ほぼ垂直であるが、図面上は、転写材の搬送方向上流側にやや傾いて描かれているようにみえる。
　
　これら記載によれば、刊行物１には以下の発明（以下、「刊行物１記載の発明」という。）が記載されているものと認められる。 
　
　「転写搬送ベルトと、 
　転写搬送ベルトの走行辺に沿って直線状に配置されている複数の感光体ドラムと、 
　各感光体ドラムの上方に設けられた、画像データに応じて変調されたドット光を発する半導体レーザ素子と、
　レーザ光を偏向するポリゴンミラーと、
　ポリゴンミラーにより偏向されたレーザ光を感光体ドラムに導く折り返しミラーを含む、複数のレーザービームスキャナユニツトとを備え、 
　上記複数の感光体ドラムが配置される転写搬送ベルトの走行辺を画像形成装置内で傾斜させ、転写搬送ベルトの下流側が上流側よりも上方に位置して配置し、 
　上記複数のレーザービームスキャナユニツトは、転写材の搬送方向上流側のレーザービームスキャナユニツトの一部に搬送方向下流側のレーザービームスキャナユニツトの一部を順次重ねた状態で配置され、全体としては、転写搬送ベルトの走行辺の傾斜方向と略平行に並んでいる、 
　画像形成装置。」 
　
（２−２）刊行物２ 
　特開平１０−１８６２５４号公報（以下、「刊行物２」という。）には、図１等の記載によれば、タンデム方式の画像形成装置において、複数の像担持体に対する露光光学系（Ｕｋ，Ｕｍ，Ｕｙ，Ｕｃ、光書込装置）が、コントローラＣの位置から、右方向に配置されており、レーザビームは、位置転写ベルト４５の走行方向に対して垂直になるように像担持体に露光するのではなく、
位置転写ベルト４５の走行方向に対してやや上流側に傾いた斜めになるようにして像担持体に露光
　また、「【０００６】本発明は、前述の事情に鑑み、回転多面鏡の回転軸を鉛直に配置した複数の各光学走査装置および水平に配置した複数の各像担持体を用いた画像形成装置において、下記（Ｏ01）の記載内容を課題とする。 
　（Ｏ01）ミラーの枚数を増やすことなく、光学走査装置間の光学特性に差を付けることなく、光学走査装置全体の高さおよび水平方向のサイズを大きくすることなく、複数の光学走査装置をコンパクトに配置すること。」という記載がある。 
　
　図１の記載は次のとおりである。
　
（２−３）刊行物３ 
　本願の出願前に頒布された特開２０００−１１８７８７号公報（以下、「刊行物３」という。）にも、図１２等に、上記刊行物２と同様の事項が記載されているものということができる。 
　
３．対比・判断
　そこで、本願発明１と刊行物１記載の発明とを対比すると、 
　刊行物１記載の発明の「転写搬送ベルト」「感光体ドラム」「半導体レーザ素子」「折り返しミラー」「レーザービームスキャナユニツト」「上記複数の感光体ドラムが配置される転写搬送ベルトの走行辺を画像形成装置内で傾斜させ、転写搬送ベルトの下流側が上流側よりも上方に位置して配置し」は、
　それぞれ、本願発明１の「転写ベルト」「像担持体」「レーザ光照射手段」「レーザ光反射手段」「書き込みユニット」「前記複数の像担持体が配置される前記転写ベルトの走行辺を装置内で傾斜して配置し」に相当する。 
　
　また、刊行物１記載の発明の「上記複数のレーザービームスキャナユニツトは、転写材の搬送方向上流側のレーザービームスキャナユニツトの一部に搬送方向下流側のレーザービームスキャナユニツトの一部を順次重ねた状態で配置され、全体としては、転写搬送ベルトの走行辺の傾斜方向と略平行に並んでいる」と、
　本願発明１の「前記単一の書き込みユニットは、前記ポリゴンミラーの軸線を前記走行辺の延在方向における複数の像担持体間の中心垂線からずらすとともに、前記走行辺の傾斜方向と略平行に装置高さが低くなる方向へずらした位置に配置したこと」は、
　書き込みユニットを画像形成装置内の所定位置に配置したという点では共通するから、 
　両者の一致点、相違点は以下のとおりと認められる。 
　
［一致点］
　「転写ベルトと、
　転写ベルトの走行辺に沿って配置される複数の像担持体と、
　レーザ光を照射するレーザ光照射手段と、
　照射されたレーザ光を反射するポリゴンミラーと、
　レーザ光反射手段を含む書き込みユニットとを備え、
　前記複数の像担持体が配置される前記転写ベルトの走行辺を装置内で傾斜して配置し、
　前記書き込みユニットを画像形成装置内の所定位置に配置した、
　画像形成装置。」
　
［相違点］ 
　書き込みユニットに関して、 
　本願発明１では、単一の書き込みユニットであって、ポリゴンミラーの軸線を転写ベルトの走行辺の延在方向における複数の像担持体間の中心垂線からずらすとともに、前記走行辺の傾斜方向と略平行に装置高さが低くなる方向へずらした位置に配置したのに対し、
　刊行物１記載の発明では、各感光体ドラムの上方に設けられた複数の書き込みユニットであって、転写材の搬送方向上流側の書き込みユニットの一部に搬送方向下流側の書き込みユニットの一部を順次重ねた状態で配置され、全体としては、転写搬送ベルトの走行辺の傾斜方向と略平行に並んでいる点。
　
　次に相違点について検討する。 
　
（１）まず、本願発明１において、単一の書き込みユニットを「ポリゴンミラーの軸線を転写ベルトの走行辺の延在方向における複数の像担持体間の中心垂線からずらすとともに、前記走行辺の傾斜方向と略平行に装置高さが低くなる方向へずらした位置に配置した」ことの技術的意義を確認すると、本願の図１の実施例、【０００７】〜【０００８】の記載から、画像形成装置の上部に設ける排紙トレイの高さを抑えるために、書き込みユニットをずらしたものと推測され（但し、本願発明１では排紙トレイ位置を限定する記載はない。）、また、審判請求書で「書き込みユニットをずらした位置に配置し、書き込みユニットから傾斜した方向にて照射し、像担持体の配列方向に対して斜方から書き込み光が照射される構成とすることで、装置の高さを抑えて小型化することができる。」と述べられ、平成２０年５月７日付けの意見書で「本願発明は、書き込みユニットのポリゴンミラーの軸線を、走行辺の延在方向における複数の像担持体間の中心垂線からずらしてまで、書き込みユニットを走行辺の傾斜方向と略平行に装置高さが低くなる方向へずらした位置に配置する構成とすることで、装置の高さを抑えて小型化することができます。」と述べられている。同様に、書込ユニットの単一化や転写ベルトの斜め配置も、画像形成装置の小型化に対応するものであると考えられる。
　
（２）次に、刊行物１記載の発明や本願発明１のようないわゆるタンデム方式の画像形成装置において、書き込みユニットを、複数の像担持体の個々に対して設ける（刊行物１記載の発明のようなもの）のではなく、複数の像担持体に共通である単一の書き込みユニットとし、複数の像担持体の並びに対して略平行に配置する（タンデム型であるので、転写ベルトの走行辺に対しても略平行となる）ことは、本願優先日前に周知の技術である。例えば、特開平１０−２１３９４１号公報の図３，特開平１０−２５３９０６号公報の図１０等、特開平１０−１４９０５６号公報の図１４を参照。
　そうすると、刊行物１記載の発明のような、複数の像担持体が配置される転写ベルトの走行辺を装置内で傾斜して配置するものにおいても、書き込みユニットを、複数の像担持体の個々に対して設けるのではなく、複数の像担持体に共通である単一の書き込みユニットとし、複数の像担持体の並びに対して略平行に配置する（転写ベルトの走行辺の傾斜方向と略平行に配置する）ことを考える程度のことは、当業者には何ら困難はないということができる。
　
（３）さらに、刊行物１，２には、レーザ走査手段の配置を工夫して、タンデム方式の画像形成装置の小型化を図ることが課題として記載されており、　一般に、タンデム方式の画像形成装置において小型化を図ることは周知の課題でもある（必要なら、特開平１０−４８８９８号公報、特開平９−３２５５６０号公報を参照）。
　また、従来から、画像形成装置の小型化を図るために、レーザ走査ユニット（書き込みユニット）の配置を色々と工夫する技術が知られており、例えば、レーザ走査ユニットを排紙トレイの形状に沿うように配置したり（特開平７−２１００６３号公報、特開平１１−８４７９２号公報）、レーザ走査ユニットを画像形成装置の左右や上下に分割して配置したり（特開平５−３４１５８７号公報、特開平６−１９４８８９号公報）、タンデム方式の複数のレーザ走査ユニットを、記録媒体搬送方向の上流側、下流側に集合配置したり（特開平１０−２０７１７１号公報）という技術が知られており、これからすると、レーザ走査ユニット（書き込みユニット）を状況に応じて柔軟に配置する発想は、周知であったということができる。
　したがって、画像形成装置の分野の当業者は、小型化の要請に応えるべく、画像形成装置を構成する装置や部品の好適配置を常に考えて設計を行っており、画像形成に悪影響がない範囲で、装置や部品の好適配置による小型化を遂行する能力を有している者であるというべきである。
　そして、当業者であれば、複数の像担持体に共通である単一の書き込みユニットを採用する際にも、あらゆる関係技術を参考にするものであり、レーザ走査ユニット（書き込みユニット）を状況に応じて柔軟に配置するという上記周知技術や、下記（４）で示す周知技術も、参考にできることは明らかである。
　
（４）刊行物２，３には、書き込みユニットを複数の像担持体の個々に対して設ける（刊行物１記載の発明のようなもの）ものであるが、像担持体転写ベルトの走行方向に対してやや上流側に傾いた斜めになるようにして像担持体に露光する技術が記載されている。また、同様な配置は、例えば、特開平７−２８７４９５号公報の図１、特開平１１−１４３１６７号公報の図４にも記載されており、露光位置として、上記のような配置は、周知である。すなわち、露光位置として、他の配置（斜めに傾かずに垂直であるとか、下流側に斜めになったいるとか）も周知であるが、像担持体回りの現像装置、クリーニング装置、帯電装置等の配置との関係で、上記のような配置も周知である。
　なお、刊行物２，３に記載のものは、図面は模式図とはいえ、画像形成装置内において、コントローラを避けるように、露光光学系（光書込装置）が右に少しずれて配置されているということも一応できる。
　したがって、刊行物１記載の発明のような、複数の像担持体が配置される転写ベルトの走行辺を装置内で傾斜して配置するものにおいても、像担持体転写ベルトの走行方向に対してやや上流側に傾いた斜めになるようにして像担持体に露光する技術を採用してみようとすることは、当業者であれば、特に困難なく、適宜なし得る設計的事項であるというべきである。
　
（５）以上の（２）〜（４）の事項を勘案すると、刊行物１記載の発明において、複数の像担持体に共通である単一の書き込みユニットを転写ベルトの走行辺に対して略平行となるように設けるという上記周知技術を採用するとともに、その際に、画像形成装置の小型化という周知の課題の下で（例えば、設計上、画像形成装置の高さ限度が優先的に決められており、しかも、画像形成装置を構成する要素の位置や形状を変更することが困難な場合があろう。）、他の構成要素の位置を考慮に入れて、単一の書き込みユニットの配置を微調整することとし、像担持体転写ベルトの走行方向に対してやや上流側に傾いた斜めになるようにして像担持体に露光するという上記周知技術も考慮しつつ、本願発明１のごとく、書き込みユニットを、「単一の書き込みユニットであって、ポリゴンミラーの軸線を転写ベルトの走行辺の延在方向における複数の像担持体間の中心垂線からずらすとともに、前記走行辺の傾斜方向と略平行に装置高さが低くなる方向へずらした位置に配置した」ものとすることは、当業者が容易に思い付くことというべきである。
　
（６）そして、本願発明１における、「書き込みユニットをずらした位置に配置し、書き込みユニットから傾斜した方向にて照射し、像担持体の配列方向に対して斜方から書き込み光が照射される構成とすることで、装置の高さを抑えて小型化することができる。」（審判請求書）又は「本願発明は、書き込みユニットのポリゴンミラーの軸線を、走行辺の延在方向における複数の像担持体間の中心垂線からずらしてまで、書き込みユニットを走行辺の傾
斜方向と略平行に装置高さが低くなる方向へずらした位置に配置する構成とすることで、装置の高さを抑えて小型化することができます。」（平成２０年５月７日付けの意見書）という作用効果や、書込ユニットの単一化や転写ベルトの斜め配置により、画像形成装置の小型化が図ることができるという作用効果は、刊行物１〜３に記載された事項、及び上記周知技術から、当業者であれば予測できるものであって、格別なものということはできない。
　
　また、本願発明１は、「・・・転写ベルトの走行辺に沿って配置される複数の像担持体と、・・・前記複数の像担持体が配置される前記転写ベルトの走行辺を装置内で傾斜して配置し、前記単一の書き込みユニットは、・・・、前記走行辺の傾斜方向と略平行に装置高さが低くなる方向へずらした位置に配置した・・・。」というものであり、複数の像担持体及び単一の書き込みユニットが、転写ベルトの走行辺の
上側
下側
　しかも、本願発明１が、複数の像担持体及び単一の書き込みユニットが、転写ベルトの走行辺の上側に配置されるタイプ（本願の図１のタイプ）であると仮にしても、「単一の書き込みユニットは、・・・、前記走行辺の傾斜方向と略平行に装置高さが低くなる方向へずらした位置に配置した」ことにより、装置の高さを抑えて小型化することができても、単一の書き込みユニットを装置高さが低くなる方向へずらしていくと、転写ベルトの側端を超えて装置の幅方向に伸びることにもなりかねず、逆に装置の幅が広くなり、装置の小型化に反する場合も想定されるものであるから、本願発明１（ずらす限度の規定なし）は、装置の小型化を正確に表現していないともいえる。
　
（７）なお、請求人は、平成２０年５月７日付けの意見書で以下のように主張する。
　「ポリゴンミラーを挟んで複数の感光体にレーザー光を照射する光学ユニットの場合には、通常、ポリゴンミラー（の回転軸）が並列配置した複数の感光体の配列方向における中心垂線上に来るように配置します（特開平１０−２１３９４１号の図３、引例６の図１参照）。これは、各感光体までの光路長を一定にしつつ、複数の感光体と光学ユニットの全体をコンパクトに構成することができるためであります。従って、複数の感光体を傾斜して配置した画像形成装置であれば、通常の当業者は、複数の感光体の中心垂線上にポリゴンミラーがくるように光学ユニットを配置します。」「引例１，４〜６には書き込みユニットを走行辺の傾斜方向と略平行に装置高さが低くなる方向へずらすことについては開示も示唆もありません。よって、引例１，４〜６から本願発明を創出することは例え当業者といえども不可能であると思料します。なお、貴審判官殿は、コントローラを避けるように光書込み装置を少しずらして配置することは特開平１０−１８６２５４号公報（以下、引例２という）及び特開２０００−１１８７８７号公報（以下、引例３という）に開示されているとして提示しております。しかしながら、この引例２，３に開示されているのは、各感光体に対して、それぞれに対応するように独立した光書込みユニットが複数配置された画像形成装置です。このような複数の独立した光書込みユニットを備える画像形成装置では、各感光体までの光路長が一定であれば、それぞれの光書込みユニットをどこに配置しようと問題はありません。従って、本願のように、ポリゴンミラーを挟むように設けられた複数のレーザ光反射手段を備える光書込みユニットを備える画像形成装置とは、前提条件が大きく異なります。上記のように本願発明の請求項１の構成は何れの引例にも開示がありませんので、これら引例を如何様に組み合わせても本願発明を想到することは当業者と言えども不可能であると思料します。」
　ここで、請求人は、「ポリゴンミラーを挟むように設けられた複数のレーザ光反射手段を備える単一の光書込みユニットを備える画像形成装置」と「複数の独立した光書込みユニットを備える画像形成装置」との違いを、後者は、光路長が一定であれば、それぞれの光書込みユニットの配置には自由度があるが、前者は、感光体の配列方向に対する、光書込みユニットの配置の自由度が低い旨を説明している。
　確かに、前者の単一の光書込みユニットは、一体性が強いものであるから、後者ほど、自由度は高くはない。
　しかしながら、単一の光書込みユニットは、その一体性を失わない範囲で、縦横の移動を若干行うことは、十分に可能であり、また、移動を行うと、各感光体への光路長は、移動する前に比べて少し長くなるとしても、偏向ミラーの角度調整等を行えば、各感光体までの光路長を一定にすることは、当業者であれば簡単にできることである。
　したがって、単一の光書込みユニット（ポリゴンミラーを挟んで複数の感光体にレーザー光を照射する光学ユニット）の場合には、請求人が説明するように、「通常、ポリゴンミラー（の回転軸）が並列配置した複数の感光体の配列方向における中心垂線上に来るように配置」するものであるとしても、転写ベルトの傾斜配置に伴う画像形成装置の小型化に関連して、多少の移動を行うことが、当業者の発想を超えた、意外なことであるとまではいえないから、請求人の主張を採用することができない。
　
（まとめ）　　
　よって、本願発明１は、刊行物１〜３に記載の発明、及び周知技術に基づいて当業者が容易に発明をすることができたものである。 
　
　
４．むすび
　以上のとおりであるから、本願の請求項１に係る発明は、特許法第２９条第２項の規定により特許を受けることができないので、他の請求項について検討するまでもなく、本願は拒絶すべきものである。
　よって、結論のとおり審決する。